(57)【要約】【課題】本発明は、操作ボタン及び音響素子などに静電気が帯電する事の防止効果と操作ボタンの薄型化可能な電気機器装置を提供する事を目的とする。【解決手段】筐体と該筐体内部に設けられている回路基板等に配置されるスイッチと、該スイッチを前記筐体に配設される操作ボタンと該操作ボタンの近傍に音響素子を配設している電子機器に於いて、前記操作ボタンは、筐体外部から押圧操作可能に配設され前記操作ボタンの裏面に押圧操作よって弾性変形可能な弾性部材を有し、該弾性部材の一端で前記操作ボタンを支持する支持部と該弾性部材の他一端で、前記筐体の内壁に当接し、該弾性部材の他一端で音響素子の保持枠を構成させた。【選択図】        図２
2006066191.tif 000002
【特許請求の範囲】
【請求項１】
筐体と該筐体内部に設けられている回路基板等に配置されるスイッチと、該スイッチを前記筐体に配設される操作ボタンと該操作ボタンの近傍に音響素子を配設している電子機器に於いて、
前記操作ボタンは、筐体外部から押圧操作可能に配設され前記操作ボタンの裏面に押圧操作よって弾性変形可能な弾性部材を有し、該弾性部材の一端で前記操作ボタンを支持する支持部と該弾性部材の他一端で、前記筐体の内壁に当接し、該弾性部材の他一端で音響素子の保持枠を形成する事を特徴とする電子機器装置。
【請求項２】
請求項１に記載の電子機器装置に於いて、前記操作ボタンは、前面部材と後面部材とで構成されており、該前面部材は導電材であり、該後面部材はスイッチを押し圧する為の突起が形成された事を特徴とする電子機器装置。
【請求項３】
請求項１に記載の電子機器装置に於いて、前記弾性部材は、導電材である事を特徴とする電子機器装置。
【請求項４】
請求項１に記載の電子機器装置に於いて、前記音響素子は、スピーカーである事を特徴とする電子機器装置。
【請求項５】
請求項１に記載の電子機器装置に於いて、前記筐体は、導電材で構成されている事を特徴とする電子機器装置。
【請求項６】
請求項１に記載の電子機器装置に於いて、前記筐体は、樹脂により形成され裏面に導電塗装を施した事を特徴とする電子機器装置。
【請求項７】
請求項１に記載の電子機器装置に於いて、前記操作ボタンは、樹脂により一体で形成され表面にメッキ処理が施されている事を特徴とする電子機器装置。
【請求項８】
請求項１に記載の電子機器装置に於いて、前記音響素子は、マイクである事を特徴とする電子機器装置。
【発明の詳細な説明】
【技術分野】
【０００１】
本発明は、筐体と該筐体内部に設けられるスイッチと、該スイッチを前記筐体外部から操作するための操作ボタンとを備える電子機器装置に関する。
【背景技術】
【０００２】
近年、デジタルカメラ等の電子機器においてはＣＣＤの高画素化、レンズ高倍率化の仕様で多機能でありながら小型化された物が主流となっている。
【０００３】
それにも増して最近では記録媒体であるコンパクトフラッシュ（登録商標）などのメモリーの高容量化によって、静止画は基より動画撮影などが長時間記録が行える事でカメラ本体内にスピーカー、マイクなどの装備させた物がある。
【０００４】
また操作ボタンなどは、カメラの高級感を出す為に操作ボタン表面に金属メッキ等の処理が施されている物も多くなっている（例えば特許文献１参照）。
【特許文献１】特開２００２−１５０８７９号公報（第７頁、図２）
【特許文献２】特開平１０−１５５１００号公報
【発明の開示】
【発明が解決しようとする課題】
【０００５】
しかし最近の操作ボタンの構成は前面部材に金属メッキが施されたキャップと後面部材にスイッチ押圧部と押圧操作により弾性変形可能なヒンジ部からなり、この様な構成で使用する場合には、必ず静電気用アース部材が連結保持されていた。なぜならメッキ外観仕様の前面部材は、その構造上前面部材全体が導電体であり、且つ前面部材と基板上のスイッチの間には、操作ストロークを残すだけの隙間しかないので、安全性試験の一つである静電気試験において、前面部材への静電気印加時、その隙間を電流が通り越して基板上スイッチに流れ、本体セットの破壊または誤動作を誘発したり、外観メッキ部に黒点状の焦げ跡が残るという問題がある。
【０００６】
またこの様な構成では、静電気用アース部材等の部品が必要である為、部品点数を削減出来ないという問題がある。
【０００７】
また、上述の問題を改善させる、特許文献１に於ける構成では操作ボタン外観部と押圧操作により弾性変形可能なヒンジ部とスイッチ押圧部が樹脂により一体に形成されている為、一般的に樹脂成型なので厚み方向に限界があるので、操作ボタンの高さ方向の空間スペースが取られる為に小型化しづらいなどの問題があった。
【０００８】
本発明は、操作ボタン及び音響素子などに静電気が帯電する事の防止効果と操作ボタンの薄型化可能な電気機器装置を提供する事を目的とする。
【課題を解決するための手段】
【０００９】
請求項１記載の電子機器装置に於いて、筐体と該筐体内部に設けられている回路基板等に配置されるスイッチと、該スイッチを前記筐体に配設される操作ボタンと該操作ボタンの近傍に音響素子を配設している電子機器に於いて、前記操作ボタンは、筐体外部から押圧操作可能に配設され前記操作ボタンの裏面に押圧操作よって弾性変形可能な弾性部材を有し、該弾性部材の一端で前記操作ボタンを支持する支持部と該弾性部材の他一端で、前記筐体の内壁に当接し、該弾性部材の他一端で音響素子の保持枠を構成させた事を特徴とする。
【００１０】
請求項２に記載の電子機器装置に於いて、前記操作ボタンは、前面部材と後面部材とで構成されており、該前面部材は導電材であり、該後面部材はスイッチを押し圧する為の突起が形成された事を特徴とする。
【００１１】
請求項３に記載の電子機器装置に於いて、前記弾性部材は、導電材である事を特徴とする。
【００１２】
請求項４に記載の電子機器装置に於いて、前記音響素子は、スピーカーである事を特徴とする。
【００１３】
請求項５に記載の電子機器装置に於いて、前記筐体は、導電材で構成されている事を特徴とする。
【００１４】
請求項６に記載の電子機器装置に於いて、前記筐体は、樹脂により形成され裏面に導電塗装を施した事を特徴とする。
【００１５】
請求項７に記載の電子機器装置に於いて、前記操作ボタンは、樹脂により一体で形成され表面にメッキ処理が施されている事を特徴とする。
【００１６】
請求項８に記載の電子機器装置に於いて、前記音響素子は、マイクである事を特徴とする。
【発明の効果】
【００１７】
本発明によれば、操作ボタンの支持と音響素子の保持枠を兼ねる弾性部材で操作ボタン及びスピーカー或いはマイクなど音響素子へ静電気が帯電する事無く本体セットの破壊または誤動作を防止できる。また操作ボタンを別体とし弾性部材を導電材（金属板）にしている為、操作部周辺の高さ方向が薄型化が可能である。
【発明を実施するための最良の形態】
【００１８】
以下本発明を実施するための最良の形態を、実施例により詳しく説明する。
【実施例】
【００１９】
本発明の実施例について説明する。
【００２０】
図１は本発明の実施例を示す操作ボタン周辺部の正面視からの断面図、図２は本発明の実施例を示す操作ボタン周辺部の側面視からの断面図、図３は本発明の実施例を示す操作ボタン周辺部の分解斜視図、図４は本発明の実施例を示す電子機器装置の斜視図である。
【００２１】
まず図４に於いて、１は電子機器装置（本発明ではカメラを示す）の外装であるカメラ筐体、２は撮影光学系を構成している鏡筒、３はストロボ、４はレリーズボタン、５は電源ボタン、６は操作音或いは再生音をスピーカー等の音響素子で音を鳴らす為に設けられたスピーカー穴である。
【００２２】
次に図１〜図３を絡めて本発明の操作ボタン周辺部の構成を説明する。
【００２３】
まずカメラ本体１の不図示の基本内部部品を保持し、ＧＮＤアースを兼ねる本体フレーム１５にバッテリー或いはコンパクトフラッシュ（登録商標）を収納する為の本体部材１４が不図示のビス等の係止手段で保持されている。
【００２４】
またこの本体部材１４の上面にレリーズスイッチ１３ａ或いは電源スイッチ１３ｂなどの電気素子を配設し、不図示のマイコン等が実装された回路基板に不図示のコネクター等の接続手段で電気的接続されるフレキシブル基板１３が不図示のビス或いは両面テープなどの係止手段で保持されている。さらにフレキシブル基板１３上にパターン形成されている不図示のＧＮＤランドが不図示のビス等の係止手段で本体フレーム１５に当接し導通している。
【００２５】
次にボタンカバー８は、ボタンベースＡ９に不図示の接着等の係止手段で保持されている。
【００２６】
またボタンベースＡ９（ボタンカバー８が保持されている状態）とボタンベースＢ１０がベース部材７上に形成されている穴７ａと７ｂに摺動可能に勘合している。この状態から弾性部材１１上に形成されている穴１１ａと１１ｂにボタンベースＡ９とボタンベースＢ１０上に形成されているボス９ａと１０ａが摺動可能に勘合している。
【００２７】
これと同時に弾性部材１１はベース部材７に不図示のビス等の係止手段で保持される。
【００２８】
この状態に於いて、弾性部材１１上に形成されているヒンジ部１１ａ１と１１ｂ１にバネ性を持たせている為、ボタンベースＡ９とボタンベースＢ１０は常にベース部材７の外観面側に不勢されている。またボタンベースＡ９上に保持されているボタンカバー８が弾性部材１１上に形成されているヒンジ部１１ａ１と当接し導通している。
【００２９】
さらに弾性部材１１上に形成されている保持枠１１ｃにスピーカー１２が収納されて、弾性部材１１上に形成されているヒンジ部１１ｄに保持されている。ヒンジ部１１ｄにはバネ性を持たされている為、スピーカー１２に当接されている。
【００３０】
尚、通常スピーカー１２自体の上面或いは底面などに金属ケースが使用されているので、弾性部材１１とスピーカー１２は当接する事によって導通している。
【００３１】
またスピーカー１２は不図示の半田付け等でフレキシブル基板１３と接続されている。
【００３２】
次にこの弾性部材１１はフレキシブル基板１３上に形成されるＧＮＤランドと当接し導通している。
【００３３】
また弾性部材１１上に形成されているバネ部１１ｅがカメラ筐体１に当接し導通している。
【００３４】
これにより弾性部材１１が不図示のマイコン等が実装された回路基板及び本体フレーム１５或いはカメラ筐体１に電気的アース接続されている為、ボタンカバー８及びスピーカー穴６に静電気が帯電する事無く本体セットの破壊または誤動作を防止できる。
【００３５】
本発明の実施例ではボタンカバー８とボタンベースＡ９は別体であるが、樹脂により一体で形成して表面にメッキ処理が施す或いは導電樹脂で形成しても本発明と同様の効果が得られる。
【００３６】
本発明の実施例ではカメラ本体１は導電材（金属カバー）であるが、カメラ筐体１を樹脂により形成させ裏面に導電塗装を施した物でも本発明と同様の効果が得られる。
【００３７】
本発明の実施例では音響素子はスピーカー１２であるが、マイクを配設しても本発明と同様の効果が得られる。
【００３８】
また、本発明は、１眼レフカメラ、レンズシャッタカメラ、ビデオカメラ、デジタルカメラ等種々の形態のカメラ、更にはカメラ以外の光学機器やその他の装置、更にはそれらカメラや光学機器やその他の装置に適用される装置又は、これらを構成する要素に対しても適用できるものである。
【図面の簡単な説明】
【００３９】
【図１】本発明の実施例を示す操作ボタン周辺部の正面視からの断面図
【図２】本発明の実施例を示す操作ボタン周辺部の側面視からの断面図
【図３】本発明の実施例を示す操作ボタン周辺部の分解斜視図
【図４】本発明の実施例を示す電子機器装置の斜視図
【符号の説明】
【００４０】
１  カメラ筐体
２  鏡筒
３  ストロボ
４  レリーズボタン
５  電源ボタン
６  スピーカー穴
７  ベース部材
８  ボタンカバー
９  ボタンベースＡ
１０  ボタンベースＢ
１１  弾性部材
１２  スピーカー
１３  フレキシブル基板
１４  本体部材
１５  本体フレーム
【図１】
2006066191.tif 000003
【図２】
2006066191.tif 000004
【図３】
2006066191.tif 000005
【図４】
2006066191.tif 000006